(57)【要約】      （修正有）【課題】さくらんぼ、いちご等の軸付きの果実を見栄えよく、しかも効率的に箱詰めするのに好適な軸付き果実用化粧箱及びブランクシートを提供する。【解決手段】軸が付いた状態の果実５を箱詰めする軸付き果実用化粧箱において、身箱本体１２を備え、前記身箱本体は、内部に所定の空間が形成されるようにして折り返された額縁状の側壁部１２Ａを有し、当該側壁部の内側壁１４には、前記果実の軸を先端側から挿入して前記空間内で保持するように所定の大きさに開口された軸保持部１５を備えている。【選択図】図１
0003234557.tif 000002
【実用新案登録請求の範囲】
【請求項１】
軸が付いた状態の果実を箱詰めする軸付き果実用化粧箱において、
身箱本体を備え、
前記身箱本体には、内部に所定の空間が形成されるようにして折り返された額縁状の側壁部が配置され、当該側壁部の内側壁には、前記果実の軸を先端側から挿入して前記空間内で保持するように所定の大きさに開口された軸保持部を備えていることを特徴とする軸付き果実用化粧箱。
【請求項２】
請求項１に記載の軸付き果実用化粧箱において、
前記身箱本体の底面上には、複数の果実を個別に収容する複数の収容部を少なくとも１列に亘って形成するための中仕切りが配置され、
前記収容部の配列方向に沿って立設された少なくとも一方の前記側壁部の内側壁には、当該収容部の配列ピッチと等ピッチで前記軸保持部が設けられていることを特徴とする軸付き果実用化粧箱。
【請求項３】
請求項２に記載の軸付き果実用化粧箱において、
複数の前記収容部は、前記身箱本体の底面上に１列又は２列に亘って形成されることを特徴とする軸付き果実用化粧箱。
【請求項４】
請求項２又は３に記載の軸付き果実用化粧箱において、
複数の前記収容部は、前記身箱本体の底面上に少なくとも３列に亘って形成され、
外側の列に沿って立設された前記側壁部の内側壁には、当該収容部の配列ピッチと等ピッチで前記軸保持部が設けられており、
内側の列のいずれか一方側には、内部に所定の空間が形成されるように断面が略コの字状に折り曲げられた山仕切りが開口側を下に向けるようにして配置され、
前記山仕切りのうち前記内側の列に接する側壁には、前記果実の軸を先端側から挿入して前記空間内で保持するように所定の大きさに開口された軸保持部が当該収容部の配列ピッチと等ピッチで設けられていることを特徴とする軸付き果実用化粧箱。
【請求項５】
請求項２から４のいずれか一項に記載の軸付き果実用化粧箱において、
個々の収容部とこれに対応する軸保持部との位置関係は、当該収容部のいずれかの隅に当該軸保持部が近接するように選定されていることを特徴とする軸付き果実用化粧箱。
【請求項６】
請求項１から５のいずれか１項に記載の軸付き果実用化粧箱において、
前記果実を収容した状態の前記身箱本体を被覆するスリーブを更に備えていることを特徴とする軸付き果実用化粧箱。
【請求項７】
請求項１から６のいずれか１項に記載の軸付き果実用化粧箱において、
前記果実の下側へ敷くためのグラシンカップを更に備えていることを特徴とする軸付き果実用化粧箱。
【請求項８】
請求項１から７のいずれか１項に記載の軸付き果実用化粧箱を形成するためのブランクシート。
【考案の詳細な説明】
【技術分野】
【０００１】
本考案は、軸付き果実用化粧箱及びブランクシートに関し、更に詳しくは、例えば、軸付きのさくらんぼ、いちご等の果実を軸が付いた状態で箱詰めすることができる軸付き果実用化粧箱及びブランクシートに関するものである。
【背景技術】
【０００２】
高級感や販促効果を高める等の目的で、贈答品としてのさくらんぼは化粧箱に箱詰めされた状態で流通される機会も多い。近年では、組仕切り材の下端へ予め切込み溝を設けておき、その溝へさくらんぼの軸を挟み込むことによって、さくらんぼの粒の表面を露出させ、見栄えよく整列させることのできる包装箱も提案されている（特許文献１等を参照）。
【先行技術文献】
【特許文献】
【０００３】
【特許文献１】実用新案登録第３１４４０５７号公報
【特許文献２】特開平１１−５９７５９号公報
【考案の概要】
【考案が解決しようとする課題】
【０００４】
しかしながら、特許文献１に記載の包装箱によると、個々のさくらんぼの粒の見栄えはよくなるものの、箱詰め作業者が１粒ずつ組仕切り材の下端側へさくらんぼの軸を差し込むという作業に手間と時間を要するので、手際よく市場に流すことができないという問題があった。
【０００５】
例えば、組仕切り材は、これを井桁状に組み上げる都合上、一定以上の剛性（強度）を有している必要があるので、組仕切り材の下端の切込み溝へ軸を急いで差し込むと、溝の縁で軸が傷ついてしまい、鮮やかな緑色だったはずの軸が退色して黒ずんでしまうおそれがあった。一般に、軸の退色の程度は、さくらんぼの粒の鮮度悪化の指標として市場で参照され得るため、軸といえども退色等の劣化は可能な限り避けるべきである。
【０００６】
また、特許文献１に記載の包装箱では、切込み溝へ差し込まれた軸の先端が隣接する区画にまで貫通するので、さくらんぼの粒の表面に接触し得、箱詰め作業中の振動や輸送中の振動により粒表面を傷けるおそれもあった。このため従来の箱詰め作業は慎重にならざるを得なかった。
【０００７】
また、特許文献２の段落［０００２］［０００３］にはトレーに形成された果実収納穴の壁面にスリットを設けて、このスリットに果実の軸をはめ込み、隣接する果実を傷めないようにすることが開示されている。しかしながら、スリットによって果実の軸を挟んだ場合、軸を痛めてしまうおそれがある。
【０００８】
そこで、本考案は上記の課題に鑑み、さくらんぼ、いちご等の軸付きの果実を見栄えよく、しかも効率的に箱詰めするのに好適な軸付き果実用化粧箱及びブランクシートを提供することを目的とする。
【課題を解決するための手段】
【０００９】
上記課題を解決するため請求項１に記載の本考案は、軸が付いた状態の果実を箱詰めする軸付き果実用化粧箱において、身箱本体を備え、前記身箱本体には、内部に所定の空間が形成されるようにして折り返された額縁状の側壁部が配置され、当該側壁部の内側壁には、前記果実の軸を先端側から挿入して前記空間内で保持するように所定の大きさに開口された軸保持部を備えていることを特徴とする。
【００１０】
上記課題を解決するため請求項２に記載の本考案は、請求項１に記載の軸付き果実用化粧箱において、前記身箱本体の底面上には、複数の果実を個別に収容する複数の収容部を少なくとも１列に亘って形成するための中仕切りが配置され、前記収容部の配列方向に沿って立設された少なくとも一方の前記側壁部の内側壁には、当該収容部の配列ピッチと等ピッチで前記軸保持部が設けられていることを特徴とする。
【００１１】
上記課題を解決するため請求項３に記載の本考案は、請求項２に記載の軸付き果実用化粧箱において、複数の前記収容部は、前記身箱本体の底面上に１列又は２列に亘って形成されることを特徴とする。
【００１２】
上記課題を解決するため請求項４に記載の本考案は、請求項２又は３に記載の軸付き果実用化粧箱において、複数の前記収容部は、前記身箱本体の底面上に少なくとも３列に亘って形成され、外側の列に沿って立設された前記側壁部の内側壁には、当該収容部の配列ピッチと等ピッチで前記軸保持部が設けられており、内側の列のいずれか一方側には、内部に所定の空間が形成されるように断面が略コの字状に折り曲げられた山仕切りが開口側を下に向けるようにして配置され、前記山仕切りのうち前記内側の列に接する側壁には、前記果実の軸を先端側から挿入して前記空間内で保持するように所定の大きさに開口された軸保持部が当該収容部の配列ピッチと等ピッチで設けられていることを特徴とする。
【００１３】
上記課題を解決するため請求項５に記載の本考案は、請求項２から４のいずれか一項に記載の軸付き果実用化粧箱において、個々の収容部とこれに対応する軸保持部との位置関係は、当該収容部のいずれかの隅に当該軸保持部が近接するように選定されていることを特徴とする。
【００１４】
上記課題を解決するため請求項６に記載の本考案は、請求項１から５のいずれか１項に記載の軸付き果実用化粧箱において、前記果実を収容した状態の前記身箱本体を被覆するスリーブを更に備えていることを特徴とする。
【００１５】
上記課題を解決するため請求項７に記載の本考案は、請求項１から６のいずれか１項に記載の軸付き果実用化粧箱において、前記果実の下側へ敷くためのグラシンカップを更に備えていることを特徴とする。
【００１６】
上記課題を解決するため請求項８に記載の本考案は、請求項１から７のいずれか１項に記載の軸付き果実用化粧箱を形成するためのブランクシートを提供する。
【考案の効果】
【００１７】
本考案の軸付き果実用化粧箱は、軸が付いた状態の果実を箱詰めする軸付き果実用化粧箱において、身箱本体を備え、前記身箱本体には、内部に所定の空間が形成されるようにして折り返された額縁状の側壁部が配置されており、当該側壁部の内側壁には、果実の軸を先端側から挿入して空間内で保持するように所定の大きさに開口された軸保持部を備えている。よって、箱詰め作業者は、果実の軸の先端を軸保持部の開口へ軽く差し込むだけで、当該開口の縁へ軸を係止させることができる。しかも、内部に所定の空間が形成されるようにして折り返される額縁状の側壁部は、内部に空間を形成しない場合よりも薄い材質（つまり柔らかい材質）で形成できるので、仮に、果実の軸を素早く差し込んだとしても、軸保持部の開口の縁で傷つけるおそれがない。また、軸保持部の開口へ差し込まれた軸の先端は、側壁部の内側の空間内に位置するので、スリットの場合とは異なり、果実の粒の表面を傷つけるおそれもない。したがって、本考案に係る軸付き果実用化粧箱は、さくらんぼ、いちご等の軸付きの果実を見栄えよく、しかも効率的に箱詰めするのに好適である。
【図面の簡単な説明】
【００１８】
【図１】図１は、本考案に係る果実用化粧箱の第一実施形態を説明する概略斜視図である。
【図２】図２（Ａ）は、第一実施形態に係る果実用化粧箱の身箱本体の展開図（ブランクシートの平面図）、図２（Ｂ）は、第一実施形態に係る果実用化粧箱のスリーブの展開図（ブランクシートの平面図）である。
【図３】図３は、本考案に係る果実用化粧箱の第二実施形態を説明する概略斜視図である。
【図４】図４（Ａ）は、第二実施形態に係る果実用化粧箱の身箱本体の展開図（ブランクシートの平面図）、図４（Ｂ）は、第二実施形態に係る果実用化粧箱のスリーブの展開図（ブランクシートの平面図）である。
【図５】図５は、本考案に係る果実用化粧箱の第三実施形態を説明する概略斜視図である。
【図６】図６は、第三実施形態に係る身箱本体の概略平面図である。
【図７】図７（Ａ）は、変形例に係る果実用化粧箱の身箱本体の概略斜視図、図７（Ｂ）は、変形例に係る身箱本体及び山仕切りの概略斜視図である。
【考案を実施するための形態】
【００１９】
以下、図面を参照して本考案に係る果実用化粧箱のいくつかの実施形態を説明する。
【００２０】
１．第一実施形態
以下、図面を参照して本考案に係る果実用化粧箱の第一実施形態を説明する。図１は、果実用化粧箱の第一実施形態を説明する概略斜視図、図２（Ａ）は、第一実施形態に係る果実用化粧箱の身箱本体の展開図（ブランクシートの平面図）、図２（Ｂ）は、第一実施形態に係る果実用化粧箱のスリーブの展開図（ブランクシートの平面図）である。
【００２１】
１−１．果実用化粧箱の概略構成
図１，図２に示すとおり、本実施形態の果実用化粧箱１は、軸が付いた状態の果実（以下、さくらんぼ５を想定する。）を箱詰めする軸付き果実用化粧箱である。この果実用化粧箱１は、概略として、身箱本体１２と、身箱本体１２の内部へ配置される中仕切りトレー３と、中仕切りトレー３の収容部３Ａに配置されるグラシンカップ４と、グラシンカップ４内にさくらんぼ５を配置した状態で身箱本体１２を被覆するためのスリーブ１１とを備える。
【００２２】
なお、図１，図２に示す例では、スリーブ１１が左スリーブ１１−１と右スリーブ１１−２とに分割されており、左右のスリーブ１１−１，１１−２の天面の端部１１Ａ，１１Ａは、それぞれ半円状に突出するような形状に整えられている。よって、左右のスリーブ１１−１，１１−２によって左右両側から身箱本体１２を被覆すると、左右のスリーブ１１−１，１１−２の端部１１Ａ，１１Ａが互いに重なり合う。
【００２３】
１−２．果実用化粧箱のサイズ等
身箱本体１２の深さＨ（図２（Ａ））は、さくらんぼ５の粒５Ａの直径よりやや大きい程度に設定されており、中仕切りトレー３の深さは、身箱本体１２の深さＨ（図２（Ａ））よりも十分に浅く（例えば２Ｈ/３程度の深さに）設定されている。また、中仕切りトレー３に設けられた収容部３Ａの平面視形状は概略正方形であって、当該正方形の一辺のサイズはさくらんぼ５の粒５Ａの直径よりやや大きい程度に設定されている。そして、グラシンカップ４のサイズ及び形状は、収容部３Ａの内部にグラシンカップ４が隙間なく収まるようなサイズ及び形状に設定されており、身箱本体１２のサイズ及び形状は、身箱本体１２の内部に中仕切りトレー３が隙間なく収まるようなサイズ及び形状に設定されている。また、左右のスリーブ１１−１，１１−２のサイズ及び形状は、身箱本体１２を隙間なく被覆できるようなサイズ及び形状に設定されている。したがって、果実用化粧箱１に収容されたさくらんぼ５が箱詰め作業中の振動や輸送中の振動により傷けられるおそれはない。
【００２４】
１−３．果実用化粧箱の材質
また、身箱本体１２、中仕切りトレー３、グラシンカップ４、及びスリーブ１１の各々の材質としては、例えばチョコレート菓子などに用いられるものと同様の材質を採用することができる。すなわち、身箱本体１２の材質としては、組立てのために容易に折り曲げることの可能な板紙、特殊紙、環境対応紙、樹脂、機能紙などを採用することができる（その他としては、後述する変形例のように身箱本体１２に木材や板紙などの板状部材を用いることもできる）。また、中仕切りトレー３の材質としては、例えば、ポリスチレンなどを採用することができる。また、グラシンカップ４の材質としては、例えば、グラシン紙などを採用することができる。また、スリーブ１１−１，１１−２の材質としては、身箱本体１２の材質と同じものを採用することができる。なお、グラシンカップ４としては、グラシン紙の代わりに樹脂を採用することもできるし、必要がない場合にはグラシンカップ４を省略することも可能である。
【００２５】
１−４．身箱本体の詳細構造
身箱本体１２は、底面１２Ｃを４方向から囲うための額縁状の側壁部１２Ａ，１２Ａ，１２Ｂ，１２Ｂを有している。身箱本体１２は、例えば、折り曲げ容易なブランクシート（図２（Ａ））で形成することができ、この場合、額縁状の側壁部１２Ａ，１２Ａ，１２Ｂ，１２Ｂは、身箱本体１２を形成するブランクシートの縁を、その内部に所定の空間が形成されるようにして折り返すことによって形成されたものである。このうち、いずれか一方の側壁部１２Ａの内側壁１４には、軸保持部１５が形成されている。軸保持部１５は、内側壁１４を所定の大きさに開口し、さくらんぼ５の軸５Ｂを先端側から挿入して当該空間内で保持できるようにしたものである。この軸保持部１５の形成先は、内側壁１４の上端寄りであって、軸保持部１５の開口の横幅は、軸５Ｂを挿入しやすいように軸５Ｂの太さよりも十分に大きく設定されており、軸保持部１５の開口の縦幅は、身箱本体１２の上端から中仕切りトレー３の上端までの隙間に開口が露出するよう十分に大きく設定されている。このため、収容部３Ａにさくらんぼ５の粒５Ａを収容した後であっても、さくらんぼ５の軸５Ｂを軸保持部１５の開口へ挿入することが容易である。そして、軸保持部１５の開口形状は、その下縁側が滑らかに湾曲した概略Ｕ字状に整えられているので、軸保持部１５の開口に挿入された軸５Ｂが開口の縁に接触したとしても、傷つき難くなっている。
【００２６】
１−５．各部のレイアウトについて
次に、身箱本体１２の底面１２Ｃ上には、図１に示すとおり、２つの中仕切りトレー３，３が配置されている。これらの中仕切りトレー３，３は、さくらんぼ５を個別に収容するための収容部３Ａを５個ずつ具備している。よって、これら２つの中仕切りトレー３，３を直列に配置すると、１０個のさくらんぼ５を一方向に亘って１列に配置することが可能である。なお、図１では右側の中仕切りトレー３の一部の収容部３Ａを非表示とし、底面１２Ｃの一部を露出させているが、実際の身箱本体１２には、１０個の収容部３Ａが隙間なく密に連続して配列されるものである。また、本実施形態では、直列に配置された２つの中仕切りトレー３，３を用いたが、これら２つの中仕切りトレー３，３の代わりに、１０個の収容部３Ａを一方向に配列した単一の中仕切りトレーを使用してもよい。
【００２７】
次に、１０個のさくらんぼ５，５，５，…の各々の下側には、図１に示すとおり、１０個のグラシンカップ４，４，４，…が個別に敷かれている。これらのグラシンカップ４，４，４，…は、緩衝材としての機能を有すると共に、整列したさくらんぼ５，５，５，…の高級感・清潔感を演出するという機能も有している。
【００２８】
そして、身箱本体１２において、１０個の収容部３Ａ，３Ａ，３Ａ，…の配列方向に沿って立設された一方の側壁部１２Ａの内側壁１４には、１０個の軸保持部１５，１５，１５，…が設けられている。これら１０個の軸保持部１５，１５，１５，…の配列ピッチは、１０個の収容部３Ａ，３Ａ，３Ａ，…の配列ピッチと等ピッチである。このような軸保持部１５，１５，１５，…は、１０個の収容部３Ａ，３Ａ，３Ａ，…に収容された１０個のさくらんぼ５，５，５，…の軸５Ｂ，５Ｂ，５Ｂ，…を個別に保持することができる。
【００２９】
また、個々の収容部３Ａ，３Ａ，３Ａ，…とこれに対応する軸保持部１５，１５，１５，…との位置関係は、当該収容部３Ａのいずれかの隅に当該軸保持部１５が近接するように選定されている。具体的に、図１，図２の例では、左側５個の軸保持部１５，１５，１５，…の配置先は、対応する収容部３Ａ，３Ａ，３Ａ，…の左寄り（左の隅の近傍）であるのに対して、右側５個の軸保持部１５，１５，１５，…の配置先は、対応する収容部３Ａ，３Ａ，３Ａ，…の右寄り（右の隅の近傍）である。このような位置関係によれば、左側５個のさくらんぼ５，５，５，…の軸５Ｂ，５Ｂ，５Ｂ，…が収容部３Ａ，３Ａ，３Ａ，…の左隅に向き、右側５個のさくらんぼ５，５，５，…の軸５Ｂ，５Ｂ，５Ｂ，…が収容部３Ａ，３Ａ，３Ａ，…の右隅に向く。よって、１０個のさくらんぼ５，５，５，…を左右対称な姿勢に保持して見栄え良く整列させることができる。
【００３０】
１−６．第一実施形態の効果
以上、本実施形態に係る果実用化粧箱１によれば、箱詰め作業者がさくらんぼ５の軸５Ｂの先端を軸保持部１５の開口へ軽く差し込むだけで、当該開口の縁へ軸５Ｂを係止させることができる。しかも、内部に所定の空間が形成されるようにして折り返される額縁状の側壁部１２Ａは、内部に空間を形成しない場合よりも薄い材質（つまり柔らかい材質）で形成できるので、仮に、さくらんぼ５の軸５Ｂを素早く差し込んだとしても、軸保持部１５の開口の縁で軸５Ｂが傷つくおそれがない。また、軸保持部１５の開口へ差し込まれた軸５Ｂの先端は、側壁部１２Ａの内側の空間内に位置するので、さくらんぼ５の粒５Ａの表面を傷つけるおそれもない。したがって、本実施形態に係る果実用化粧箱１は、複数のさくらんぼ５を見栄えよく、しかも効率的に箱詰めするのに好適である。
【００３１】
２．第二実施形態
以下、図面を参照して本考案に係る果実用化粧箱の第二実施形態を説明する。図３は、果実用化粧箱の第二実施形態を説明する概略斜視図、図４（Ａ）は、第二実施形態に係る果実用化粧箱の身箱本体の展開図（ブランクシートの平面図）、図４（Ｂ）は、第二実施形態に係る果実用化粧箱のスリーブの展開図（ブランクシートの平面図）である。ここでは、第一実施形態との相違点について説明し、共通点についての説明を省略する。
【００３２】
図３に示すとおり、本実施形態における果実用化粧箱１０の身箱本体１２は、合計１０個のそれぞれのさくらんぼ５の粒５Ａを、５個１列として２列（Ｃ１，Ｃ２）に亘って収容するものである。そのために本実施形態では、図３，図４に示すとおり、５個の収容部３Ａ，３Ａ，３Ａ，…を一方向に亘って配列した中仕切りトレー３が２本用意され、これら２本の中仕切りトレー３が身箱本体１２の底面１２Ｃ上に並列に配置される。なお、本実施形態では、２本の中仕切りトレー３，３の代わりに、１０個の収容部３Ａ，３Ａ，３Ａ，…を５×２のマトリクス状に配列した１つの中仕切りトレーを用いてもよい。いずれの場合においても、複数の収容部３Ａが２列（Ｃ１，Ｃ２）に亘って配列されるので、以下の通り軸保持部１５を増設する必要がある。
【００３３】
先ず、図３，図４に示すとおり、本実施形態の軸保持部１５の形成先は、２つの列Ｃ１，Ｃ２に沿って立設された２つの側壁部１２Ａ，１２Ａの双方である。つまり、本実施形態では、５個の収容部３Ａ，３Ａ，３Ａ，…の配列方向（列Ｃ１，Ｃ２の方向）に沿って立設された両側の側壁部１２Ａ，１２Ａの内側壁１４，１４の各々に、５個の軸保持部１５，１５，１５，…が設けられる。５個の軸保持部１５，１５，１５，…の配列ピッチは、列Ｃ１，Ｃ２における収容部３Ａ，３Ａ，３Ａ，…の配列ピッチと等ピッチである。
【００３４】
また、図３，図４の例では、奥の列Ｃ１に係る軸保持部１５，１５，１５，…の配置先は、対応する収容部３Ａ，３Ａ，３Ａ，…の左寄りであるのに対して、手前の列Ｃ２に係る軸保持部１５，１５，１５，…の配置先は、対応する収容部３Ａ，３Ａ，３Ａ，…の右寄りである。このような位置関係によれば、図３に示すとおり、奥の列Ｃ１のさくらんぼ５，５，５，…の軸５Ｂ，５Ｂ，５Ｂ，…が収容部３Ａ，３Ａ，３Ａ，…の左隅に向き、手前の列Ｃ２のさくらんぼ５，５，５，…の軸５Ｂ，５Ｂ，５Ｂ，…が収容部３Ａ，３Ａ，３Ａ，…の右隅に向く。したがって、合計１０個のさくらんぼ５，５，５，…を前後対称かつ左右対称な姿勢に保持して見栄え良く整列させることができる。
【００３５】
３．第三実施形態
以下、図面を参照して本考案に係る果実用化粧箱の第三実施形態を説明する。図５は、果実用化粧箱の第二実施形態を説明する概略斜視図、図６は、第三実施形態に係る果実用化粧箱の概略平面図である。ここでは、第一実施形態または第二実施形態との相違点について説明し、共通点についての説明を省略する。また、本実施形態では、果実用化粧箱の展開図（ブランクシートの平面図）ついても省略した。
【００３６】
図６に示すとおり、本実施形態における果実用化粧箱１００の身箱本体１２は、合計１６個のさくらんぼ５の粒５Ａを、４個１列として４列（Ｃ１，Ｃ２，Ｃ３，Ｃ４）に亘って収容するものである。そのために、本実施形態では、４個の収容部３Ａ，３Ａ，…を一方向に亘って配列した中仕切りトレー３が４本用意され、これら４本の中仕切りトレー３が身箱本体１２の底面１２Ｃ上に並列に配置されている。なお、本実施形態では、４本の中仕切りトレー３の代わりに、８個の収容部３Ａ，３Ａ，３Ａ，…を４×２のマトリクス状に配列した中仕切りトレーを２つ使用してもよい。いずれの場合においても、複数の収容部３Ａが３列以上に亘って配列される場合は、内側の列（Ｃ２，Ｃ３）に対応する軸保持部１５，１５，…を設けることが難しいため、以下のような山仕切り６が付属品として使用される。
【００３７】
先ず、図５，図６に示すとおり、本実施形態の身箱本体１２において、外側の列Ｃ１，Ｃ４に沿って立設された側壁部１２Ａ，１２Ａの内側壁１４，１４には、第一実施形態又は第二実施形態と同様、複数の軸保持部１５，１５，…が設けられている。これら複数の軸保持部１５，１５，…の配列ピッチは、外側の列Ｃ１，Ｃ４における収容部３Ａ，３Ａ，…の配列ピッチと等ピッチである。
【００３８】
そして、本実施形態では、内側の列Ｃ２，Ｃ３のいずれか一方側（ここでは、列Ｃ２，Ｃ３の間）に山仕切り（山折り型の中仕切り）６が配置される。山仕切り６は、図５に示すとおり、その内部に所定の空間が形成されるように断面が略コの字状に折り曲げられた仕切り部材である。この山仕切り６の材質としては、身箱本体１２と同じ材質を採用することができる。
【００３９】
山仕切り６のうち、列Ｃ２，Ｃ３に接する２つの側壁７，７の各々には、軸保持部１５，１５，…が設けられている。これら軸保持部１５，１５，…は、さくらんぼ５の軸５Ｂを先端側から挿入して空間内で保持するように所定の大きさに開口されており、これら軸保持部１５，１５，…の配列ピッチは、列Ｃ２，Ｃ３における収容部３Ａ，３Ａ，…の配列ピッチと等ピッチである。
【００４０】
ここで、図５，図６の例では、最も奥の列Ｃ１に係る軸保持部１５，１５，１５，…の配置先は、対応する収容部３Ａ，３Ａ，３Ａ，…の右寄りであり、奥から２番目の列Ｃ２に係る軸保持部１５，１５，１５，…の配置先は、対応する収容部３Ａ，３Ａ，３Ａ，…の左寄りであり、奥から３番目の列Ｃ３に係る軸保持部１５，１５，１５，…の配置先は、対応する収容部３Ａ，３Ａ，３Ａ，…の右寄りであり、最も手前側の列Ｃ４に係る軸保持部１５，１５，１５，…の配置先は、対応する収容部３Ａ，３Ａ，３Ａ，…の左寄りである。
【００４１】
このような位置関係によれば、図６に示すとおり最も奥の列Ｃ１のさくらんぼ５，５，５，…の軸５Ｂ，５Ｂ，５Ｂ，…が収容部３Ａ，３Ａ，３Ａ，…の右隅に向き、奥から２番目の列Ｃ２のさくらんぼ５，５，５，…の軸５Ｂ，５Ｂ，５Ｂ，…が収容部３Ａ，３Ａ，３Ａ，…の左隅に向き、奥から３番目の列Ｃ３のさくらんぼ５，５，５，…の軸５Ｂ，５Ｂ，５Ｂ，…が収容部３Ａ，３Ａ，３Ａ，…の右隅に向き、最も手前の列Ｃ４のさくらんぼ５，５，５，…の軸５Ｂ，５Ｂ，５Ｂ，…が収容部３Ａ，３Ａ，３Ａ，…の左隅に向く。したがって、合計１６個のさくらんぼ５，５，５，…を前後対称かつ左右対称な姿勢に保持して見栄え良く整列させることができる。
【００４２】
４．変形例
なお、上述した実施形態における収容部の個数及びレイアウトはあくまでも一例にすぎず、必要に応じて増減させることができるのはいうまでもない。また、上述した実施形態は、さくらんぼ以外の軸付きの果実（いちごなど）にも適用することが可能である。
例えば、上述の第三実施形態のように身箱本体１２へ３列以上の収容部３Ａを配置する場合に、図５，図６の例では、中央に配置された１つの山仕切り６の両側を２列分の軸保持部１５の形成先として用いたが、例えば、図７（Ａ），（Ｂ）に示すとおり山仕切り６を各列に配置し、各山仕切り６の片側を、各列に専用の軸保持部１５の形成先として用いてもよい。
また、図５，図６の例では、１つの身箱本体１２へ１つの山仕切り６を配置したが、図７（Ａ）に示すとおり１つの身箱本体１２へ２以上の山仕切り６を配置する場合には、隣り合う山仕切り６の間で山仕切り６の裾部（底敷板部）６Ａを共有させてもよい。また、その底敷板部６Ａを例えば底面の四隅まで広がるよう十分に広く確保することにより、身箱本体１２における山仕切り６の横ずれを防止してもよい。
また、上述した各実施形態では、身箱本体１２を折り曲げ容易なブランクシート（図２（Ａ））で形成した（つまり身箱本体１２を組立て式とした）が、少なくとも一の実施形態における身箱本体１２は、例えば木材や板紙などの板状部材によって形成することもでき、この場合の側壁部１２Ａ，１２Ａ，１２Ｂ，１２Ｂは、山仕切り６を身箱本体１２の内側に配置することによって所定の位置に軸保持部１５，１５，…を設ければよい。
【符号の説明】
【００４３】
１        果実用化粧箱
１０      果実用化粧箱
１００    果実用化粧箱
１１      スリーブ
１１−１  左スリーブ
１１−２  右スリーブ
１２      身箱本体
１２Ａ    側壁部
１２Ｂ    側壁部
１２Ｃ    底面
１４      内側壁
１５      軸保持部（Ｄ字状の開口）
３        中仕切りトレー（成型中仕切り）
３Ａ      収容部
４        グラシンカップ
５        さくらんぼ
５Ａ      さくらんぼの粒
５Ｂ      さくらんぼの軸
６        山仕切り
７        側壁
Ｃ１      収容部の列
Ｃ２      収容部の列
Ｃ３      収容部の列
Ｃ４      収容部の列
【図１】
0003234557.tif 000003
【図２】
0003234557.tif 000004
【図３】
0003234557.tif 000005
【図４】
0003234557.tif 000006
【図５】
0003234557.tif 000007
【図６】
0003234557.tif 000008
【図７】
0003234557.tif 000009